(57)【要約】  【課題】男子用小便器に尿石が付着するのを防止するために用いられる尿石付着防止剤、或いは消臭剤、芳香剤等の各種の薬液を小便器に供給するための装置に関し、簡単な構成で、薬液の不必要な消耗を減らして濃度の高い薬液を確実に供給することができる小便器用の薬液供給装置を提供することを課題とする。  【解決手段】男子用小便器の壁面に設置されて該小便器の壁面に薬液を供給するための小便器用薬液供給装置であって、液の供給口となる開口部と、供給された液の排出口となる出口部とを備えた第１タンクと、前記第１タンクの出口部から排出される液の供給口となる開口部を有するとともに、供給された液を貯留することができるように構成された第２タンクとを備え、且つ前記第１タンクの出口部は、該出口部から排出される液が前記第２タンク側へ滴下されるような状態で供給されるように形成されていることを特徴とする。【選択図】図１
0003125786.tif 000002
【実用新案登録請求の範囲】
【請求項１】
男子用小便器の壁面に設置されて該小便器の壁面に薬液を供給するための小便器用薬液供給装置であって、液の供給口となる開口部（５）と、供給された液の排出口となる出口部（２）とを備えた第１タンク（２）と、前記第１タンク（２）の出口部（６）から排出される液の供給口となる開口部（９）を有するとともに、供給された液を貯留することができるように構成された第２タンク（３）とを備え、且つ前記第１タンク（２）の出口部（６）は、該出口部（６）から排出される液が前記第２タンク（３）側へ滴下されるような状態で供給されるように形成されていることを特徴とする小便器用薬液供給装置。
【請求項２】
第１タンク（２）の出口部（６）がオリフィス状に形成されている請求項１記載の小便器用薬液供給装置。
【請求項３】
第１タンク（２）の出口部（６）からの液の排出量を調整するための弁が該第１タンク（２）の出口部（６）に設けられている請求項１又は２記載の小便器用薬液供給装置。
【請求項４】
第１タンク（２）には水が供給されて収容され、第２タンク（３）には薬液が収容されるとともに前記第１タンク（２）に収容された水が供給されて前記薬液を溶解させ、薬液を生成しうるように構成されている請求項１乃至３のいずれかに記載の小便器用薬液供給装置。
【考案の詳細な説明】
【技術分野】
【０００１】
本考案は、小便器用薬液供給装置、さらに詳しくは、男子用小便器に尿石が付着するのを防止するために用いられる尿石付着防止剤、或いは消臭剤、芳香剤等の各種の薬液を小便器に供給するための装置に関する。
【背景技術】
【０００２】
一般に、男子用小便器の下部排水部には目皿と称される器具が設置され、その目皿が設置された排水部から尿が排出されることとなる。このような小便器には、付着した尿から尿中の成分であるカルシウムやリン等の塩類が析出凝固して、尿石となって付着、固化するが、特に上記のような排水部に付着した尿石を除去するのは、清掃等によっても容易ではない。このような清掃等によっても除去し難い小便器の排水部に付着した尿石をそのまま放置しておくと、クラックにより便器を破損させるおそれがあるため、速やかに除去する必要がある。
【０００３】
このような尿石除去の手段として、清掃時に用いる洗剤等では容易に除去できないことから、一般には、塩酸やスルファミン酸等の酸類が用いられている。これらの酸類は、それなりに除去効果はあるが、これらの塩酸やスルファミン酸等は強酸であるため、その製造時はもとより、使用時の取り扱いや作業環境の安全性の面で問題があった。また、これらの酸類は、便器排水部の下部に金属製の配管が存在する場合には、その配管を腐食させることになる。さらに、有毒ガスの発生等、人体に悪影響を及ぼすおそれがあるだけでなく、地球環境破壊の観点からも好ましくない。
【０００４】
これらの問題点に鑑み、このような尿石が便器に付着するのを未然に防止するために、固形等の薬液を水に溶解させ、溶解した薬液を便器に供給する薬液供給装置が開発されている。一例としての薬液供給装置は、図５に示すように、男子用小便器１４に水を供給する水道管１７にバイパス管１８を設け、そのバイパス管１８の端部側に薬液供給装置１９が設けられ、小便水に流された後に前記薬液供給装置１９から薬液がバイパス管１８を介して散水孔１６から男子用小便器１４の壁面１５に供給されるように構成されたものである。
【０００５】
しかしながら、このような薬液供給装置は、図５に示すように水道管１7に薬液を供給するためのバイパス管１８を設置する工事が必要であり、その工事は水道管工事に携わる有資格者でなければ実施することができない。また最近は男子用小便器を設置する壁の中に水道管が収容されたトイレが増加しており、水道管に細工を施す等の作業が困難となりつつある。
【０００６】
そこで、このような問題点を解決するために、下記特許文献１のような出願もなされている。この特許文献１に係る考案は、その請求項１に記載されているように、
水の一部が薬液収容部に供給された薬液の一部又は全部を溶解して所定濃度の薬液が容器内部で生成され、その容器に供給される水の単位時間あたりの量が減少した際又は途絶えた際に、前記薬液を容器外へ流出させるようにしたことを特徴とするものである。
【０００７】
【特許文献１】特開２００３−２４７２５６号公報
【０００８】
具体的には、［００１６］に記載されているように、容器の内部が支柱部２１を介して貯水領域３１と薬液領域３２とに区画された構成からなり、使用に際しては、［００２７］に記載されているように、便器の流水吐出孔４２から吐出された水が、先ず貯水領域３１内に流入し、貯水領域３１内に流入した水が、流路変更部材２５により流路が変更されて、本体１の下面と支柱部２１の間に形成された隙間３３から薬液領域３２内へと流入する。
【０００９】
この特許文献１に記載された薬液供給装置は、貯水領域３１と薬液領域３２とにおける水位の差を利用したもので、［００３０］に記載されているように、貯水領域３１内の水位が前記特許文献の図３のように薬液領域３２よりも高い間は、水圧の関係で隙間３３から貯水領域３１内へは流出せず、［００３１］に記載されているように、流水吐出孔４２から供給される水の量が減少するか又は途絶えると貯水領域３１内の水位は次第に低下し、前記特許文献の図４に示すように貯水領域３１内の水位が薬液領域３２内の水位と等しくなったときに初めて薬液が隙間３３を介して貯水領域３１へ流入する」という作用に着目したものである。
【００１０】
しかしながら、理論的には貯水領域３１内の水位が薬液領域３２の水位より高ければ確かに薬液領域３２内の薬液は隙間３３から貯水領域３１内へ流出しないはずであるが、本来は隙間３３を介して貯水領域３１と薬液領域３２とが連通しているので、貯水領域３１へ連続的に水を供給したとしても、実際には貯水領域３１内の水位を薬液領域３２の水位より常に高く維持できるとは限らず、その場合には意図しない時に薬液が供給されることとなり、薬液の不必要な消耗を減らして濃度の高い薬液を効果的に供給するという本来の目的を達成しがたいものとなっていた。
【００１１】
尚、このような男子用小便器は、近年の一般家庭の家屋においては、ほとんど設置されなくなったが、公園、鉄道の駅や車両の内部、映画館、高速道路の休憩所等、公衆の場においては未だに設置されており、清掃作業者の確保が年々困難になっていることから、このような公衆便所の男子用小便器に、上記のような尿石の付着を防止しうるような薬液を供給する薬液供給装置の開発が望まれている。
【考案の開示】
【考案が解決しようとする課題】
【００１２】
本考案は、このような問題点を解決するためになされたもので、簡単な構成で、薬液の不必要な消耗を減らして濃度の高い薬液を確実に供給することができる小便器用の薬液供給装置を提供することを課題とする。
【課題を解決するための手段】
【００１３】
本考案は、このような課題を解決するためになされたもので、請求項１記載の考案は、男子用小便器の壁面に設置されて該小便器の壁面に薬液を供給するための小便器用薬液供給装置であって、液の供給口となる開口部５と、供給された液の排出口となる出口部２とを備えた第１タンク２と、前記第１タンク２の出口部６から排出される液の供給口となる開口部９を有するとともに、供給された液を貯留することができるように構成された第２タンク３とを備え、且つ前記第１タンク２の出口部６は、該出口部６から排出される液が前記第２タンク３側へ滴下されるような状態で供給されるように形成されていることを特徴とする。
【００１４】
また請求項２記載の考案は、請求項１記載の小便器用薬液供給装置において、第１タンク２の出口部６がオリフィス状に形成されていることを特徴とする。さらに
請求項３記載の考案は、請求項１又は２記載の小便器用薬液供給装置において、第１タンク２の出口部６からの液の排出量を調整するための弁が該第１タンク２の出口部６に設けられていることを特徴とする。さらに請求項４記載の考案は、請求項１乃至３のいずれかに記載の小便器用薬液供給装置において、第１タンク２には水が供給されて収容され、第２タンク３には薬液が収容されるとともに前記第１タンク２に収容された水が供給されて前記薬液を溶解させ、薬液を生成しうるように構成されていることを特徴とする。
【考案の効果】
【００１５】
本考案の小便器用薬液供給装置は、上述のように液の供給口となる開口部と、供給された液の排出口となる出口部とを備えた第１タンクと、前記第１タンクの出口部から排出される液の供給口となる開口部を有するとともに、供給された液を貯留することができるように構成された第２タンクとを備え、且つ前記第１タンクの出口部は、該出口部から排出される液が前記第２タンク側へ滴下されるような状態で供給されるように形成されたものであるため、先ず薬液供給装置に供給される水等の液は第１タンク内で貯留され、貯留された液は該第１タンクの出口部から滴下されるように第２タンク側へ供給されることとなるので、第２タンクへは急激に液が供給されるようなこともなく、第２タンク内に貯留される液の水位はほぼ一定に保持されることとなる。
【００１６】
そして、第２タンクから溢流した薬液のみが小便器の壁面に供給されることとなる。この場合において、第１タンクからは水が滴下されるように第２タンク側へ供給され、急激に供給されることがないので、第２タンクからも急激に薬液が溢流することはなく、徐々に溢流して小便器の壁面に供給されることとなる。従って、必要な量の薬液のみが小便器の壁面に供給されることとなるので、薬液が無駄に消費されることもない。
【００１７】
特に第２タンクに薬液を収容し、第１タンクから水を第２タンクに供給して薬液を溶解させて薬液を生成させる場合には、第２タンク内で上記第１タンクから少量ずつ供給される水によって、該第２タンク内に予め収容されていた薬液が徐々に溶解して薬液が形成されることとなるので、水の供給速度が速すぎて薬液が十分に溶解しないうちに薬液が第２タンクから溢流するというような事態も生じることがなく、第２タンク３内で所望の濃さの濃度の薬液が生成されることとなり、薬液が十分に溶解していない状態で生成された濃度の薄い薬液が、不用意に第２タンクから溢流して小便器に供給されることもないという効果がある。
【考案を実施するための最良の形態】
【００１８】
以下、本考案の実施形態について説明する。本実施形態の小便器用薬液供給装置は、図１乃至図３に示すように、ケーシング１と、第１タンク２と、第２タンク３とを具備するものである。
【００１９】
ケーシング１は、左右一対の側面板１ａ、１ｂと、背面板１ｃとで構成されたものであり、図３に示すように平面略コ字状に形成されたものである。このように平面略コ字状に形成されているので、ケーシング１の前面側は開口した状態とされている。そして、図２及び図３に示すように、ケーシング１の背面板１ｃが小便器の壁面１５への取り付け部分となるものである。この場合の壁面１５への取り付け手段は特に問うものではないが、たとえば接着剤を介してケーシング１の背面板１ｃを壁面１５に接着する手段、両面接着テープや面ファスナー等を用いる手段、ビス止めなどによって取り付ける手段等、任意の手段を採用することができる。
【００２０】
第１タンク２には、図１乃至図３に示すように、供給される水の入口部となる開口部５が上面に形成され、下面には該第１タンク２からの水の排出部分であるとともに前記第２タンク３への水の供給部分となる出口部６が形成されている。第１タンク２の開口部５は、図３に示すように平面長方形状に形成されたものであり、該開口部５の口径は、第２タンク３の最大内径と同径に形成されている。
【００２１】
一方、上記のような開口部５の形成によって第１タンク２の上面側は開口状態とされているのに対して、該第１タンク２の下面側は底部７によって有底状に形成されている。第１タンク２の底部７の正面視略中央には、図１に示すように絞り部８が形成され、該絞り部８の先端が前記出口部６として形成されている。この絞り部８は、側面視の状態では、図２に示すように第１タンク２の底部７の後部側に形成されている。そして、第１タンク２の底部７は、図１及び図２に示すように、正面視及び側面視のいずれの方向においても、前記出口部６を有する絞り部８側に向かって緩やかな湾曲状態の傾斜面を有して形成されている。そして該出口部６は、前記水の入口部となる開口部５に比べて非常に小さな径に形成されているとともに、前記絞り部８の形成によってオリフィス状に形成されている。このように出口部６がオリフィス状に形成されていることで、該出口部６から排出される水は、滴下するような状態で第２タンク３へ供給されることとなる。
【００２２】
第２タンク３は、図１乃至図３に示すように、上面に開口部９を有し、下面には開口部のない底部１０を有して全体が箱形に形成されている。該開口部９は、図示しないが、上記第１タンク２の開口部５と同様に平面長方形状に形成されている。
【００２３】
そして、第２タンク３の開口部５が、前記第１タンク２の出口部６の直下に位置するように第１タンク２と第２タンク３とがケーシング１内に配置された状態で、該第１タンク２及び第２タンク３の背面板１１及び１２が、それぞれケーシング１の背面板１ｃに接着状態で固着されている。尚、第１タンク２及び第２タンク３のいずれも、合成樹脂で構成されている。
【００２４】
以上のような構成からなる小便器用薬液供給装置１３は、図４に示すように、男子用小便器１４の壁面１５の比較的上部であって、該壁面１５の上部に複数穿設された散水孔１６の下方に取り付けて使用される。そして、第２タンク３内には、薬液の一例としての固形状又はゲル状の尿石除去剤が収容される。
【００２５】
このように散水孔１６の下方に小便器用薬液供給装置１３が取り付けられることによって、小便器の利用後に前記散水孔１６から散布される水が、ケーシング１の
上部側に取り付けられた第１タンク２の開口部５から該第１タンク２内に供給されることとなる。
【００２６】
この場合において、第１タンク２には水の入口部である開口部５のみならず、出口部６も形成されているが、その出口部６は、前記開口部５に比べて非常に小さな径に形成されたものであるとともに、第１タンク２の底部７の絞り部８の先端側に形成されたオリフィス状のものであるため、第１タンク２に供給された水は、その供給量と同量の分が出口部６から直ちに排出されるわけではなく、あたかも第１タンク２に一旦貯留されたような状態となり、前記オリフィス状の出口部６から少量ずつ滴下するような状態で排出されることとなる。
【００２７】
従って、第２タンク３へは多量の水が一気に供給されることはなく、前記第１タンク２のオリフィス状の出口部６から少量ずつ滴下するようにして水が供給されることとなる。この結果、第２タンク３内では、上述のようにして少量ずつ供給される水によって、該第２タンク３内に予め収容されていた薬液が徐々に溶解して薬液が生成されることとなる。
【００２８】
そして、第１タンク２から供給される水によって第２タンク３内が満杯になり、さらに第２タンク３へ水が供給されると、その水によって溶解した薬液によって生成された薬液が第２タンク３から溢流し、小便器の壁面１５等に流出することとなる。
【００２９】
この場合において、第２タンク３へは、上述のように第１タンク２のオリフィス状の出口部６から少量ずつ滴下するような状態で水が供給されるので、それに伴って第２タンク３内に収容されていた薬液も徐々に溶解することとなり、水の供給速度が速すぎて薬液が十分に溶解しないうちに薬液が第２タンク３から溢流するというような事態も生じない。
【００３０】
従って、第２タンク３内では、所望の濃さの濃度の薬液が生成されることとなり、薬液が十分に溶解していない状態で生成された濃度の薄い薬液が、不用意に第２タンク３から溢流して小便器に供給されることもない。
【００３１】
また、第２タンク３内では、上述のように第１タンク２から少量ずつ滴下するようにして水が供給されるので、第２タンク３内での水位は略一定に維持され、該第２タンク３から溢流して小便器に供給される薬液の量と濃度は略一定となり、安定した状態で薬液を供給することができるのである。
【００３２】
尚、上記実施形態では、第１タンク２の底部７に絞り部８を形成し、その絞り部８の先端側に出口部６を形成することで、オリフィス状の出口部６から水を滴下させて少量ずつ排出させ、その滴下する水を少量ずつ第２タンク３へ供給されるように構成したが、水を滴下させて少量ずつ第２タンク３へ供給する手段は、該実施形態のようにオリフィス状の出口部６を形成する手段に限定されず、たとえば出口部６を単なる管状に形成し、その出口部６に弁を設けて少量ずつ水が滴下するような状態で供給されるように構成することも可能である。要は、第１タンク２から第２タンク３側へ水が少量ずつ滴下するような状態で供給されるように出口部６が構成されていればよいのである。
【００３３】
尚、上記のようなオリフィス状の出口部８を形成した場合でも、その出口部６に弁を設けることも可能である。
【００３４】
また該実施形態では、薬液を第２タンク３のみに収容し、第１タンク２には水のみが貯留されてその水が第２タンク３へ供給され、その水によって薬液が溶解して第２タンク３内で薬液が生成するようにしたが、これに限らず、たとえば第１タンク２内のみに薬液を収容し、その薬液を溶解させて得られた薬液が第２タンク３へ供給されるように構成することも可能である。
【００３５】
この場合には、第１タンク２にはある程度の水が供給されるので、上記実施形態のように、水の供給量に応じて該第１タンク２内の薬液が溶解するというわけではないが、その薬液の溶解によって得られる薬液は、第１タンク２から滴下するように少量ずつ第２タンク３へ供給されるので、第２タンク３内の薬液は直ちに満杯になることはなく、従って初期に第１タンク２から第２タンク３へ供給される薬液の濃度が薄いものであっても、薬液が溶解することによって、少量ずつ供給される薬液の濃度が徐々に高くなり、第２タンク３内の薬液が満杯になる時点においては、薬液の濃度は適度に調整されることになり、支障は生じないものと認められる。
ただし、タンク内で生成される薬液の濃度むらを極力生じないようにするためには、上記実施形態のように第２タンク３内のみに薬液を収容する方が望ましい。
【００３６】
また第１タンク２と第２タンク３との双方に薬液を収容することも可能である。ただし、上記実施形態のように第２タンク３のみに薬液を収容し、その第２タンク３のみで薬液を生成するようにしても、ほぼ濃度が均一な薬液を所定量ずつ溢流させて小便器側へ供給するという目的を達成することができるので、あえて第１タンク２と第２タンク３との双方に薬液を収容する必要もない。逆に第１タンク２と第２タンク３との双方に薬液を収容することで不経済となり、また管理面等のメンテナンス上の負担を強いるという問題も生じることとなる。その意味では上記実施形態のように第２タンク３内のみに薬液を収容する方が望ましい。
【００３７】
さらに、上記実施形態では、第１タンク２及び第２タンク３を接着状態でケーシング１に固着させ、そのケーシング１を小便器の壁面に固着させることによって、
薬液供給装置を小便器に取り付けたが、薬液供給装置を小便器に取り付ける手段も該実施形態に限定されるものではない。
【００３８】
さらに上記実施形態では、ケーシング１を平面略コ字状に形成したが、ケーシング１の形状も該実施形態に限定されない。また該実施形態では、第１タンク２及び第２タンク３をケーシング１に固着することによって薬液供給装置を構成したが、
このようなケーシング１を装置に具備させることは本考案に必須の要件ではない。たとえば第１タンク２と第２タンク３とをそれぞれ直接小便器の壁面に取り付けることも可能である。
【００３９】
また、小便器の壁面への薬液供給装置の取り付け箇所も限定されるものではないが、上記実施形態のように散水孔１６の下方に取り付けることで、効果的に水を第１タンク２内へ供給することができる。尚、水の供給手段も該実施形態のような散水孔１６から水を散布する手段に限定されるものではない。
【００４０】
さらに、第１タンク２及び第２タンク３の形状も上記実施形態に限定されるものではなく、またその材質も該実施形態の合成樹脂製のものに限定されない。
【００４１】
さらに上記実施形態では、固形状またはゲル状の薬液を用いたが、薬液の性状も
該実施形態に限定されるものではなく、たとえば粉粒状の薬液を用いることも可能である。
【００４２】
さらに、上記実施形態では薬液として尿石除去剤を用いたが、薬液の種類も該実施形態の尿石除去剤に限定されるものではなく、たとえば消臭剤、芳香剤等を用いることも可能である。
【図面の簡単な説明】
【００４３】
【図１】一実施形態としての薬液供給装置の断面正面図。
【図２】同断面側面図。
【図３】同一部断面平面図。
【図４】薬液供給装置を便器に設置した状態の正面図。
【図５】従来の薬液供給装置及びそれを便器に設置した状態の正面図。
【符号の説明】
【００４４】
２…第１タンク          ３…第２タンク
５…開口部              ６…出口部
９…開口部
【図１】
0003125786.tif 000003
【図２】
0003125786.tif 000004
【図３】
0003125786.tif 000005
【図４】
0003125786.tif 000006
【図５】
0003125786.tif 000007
【手続補正書】
【提出日】平成18年8月9日(2006.8.9)
【手続補正１】
【補正対象書類名】実用新案登録請求の範囲
【補正対象項目名】請求項１
【補正方法】変更
【補正の内容】
【請求項１】
男子用小便器の壁面に設置されて該小便器の壁面に薬液を供給するための小便器用薬液供給装置であって、液の供給口となる開口部（５）と、供給された液の排出口となる出口部（６）とを備えた第１タンク（２）と、前記第１タンク（２）の出口部（６）から排出される液の供給口となる開口部（９）を有するとともに、供給された液を貯留することができるように構成された第２タンク（３）とを備え、且つ前記第１タンク（２）の出口部（６）は、該出口部（６）から排出される液が前記第２タンク（３）側へ滴下されるような状態で供給されるように形成されていることを特徴とする小便器用薬液供給装置。